(57)【特許請求の範囲】
【請求項１】
重量材よりなるスタンド本体(1) に設けた支柱挿込孔(3) に支柱を挿込んで支柱を起立保持させるようにした支柱スタンドにおいて、スタンド本体(1) は、左右幅と前後幅のいずれか一方が他方より長くて対向する長辺側の外面中央部分に弧状膨出部(2) が形成され、且つ、底部には溝幅が該スタンド本体(1) の短辺幅と略等幅で、対向する溝壁面に前記弧状膨出部(2) 、(2) が嵌合可能な弧状凹部(4) 、(4) を備えた凹溝(5) を設けたブロック体であって、この支柱スタンドの複数個を交互にクロスさせて上下に重ねたとき、上側となる支柱スタンドの凹溝(5) と下側となる支柱スタンドの上部とが前記した弧状凹部(4) と弧状膨出部(2) との係合下に嵌合されて安定状態で多重に積み上げられるものとしたことを特徴とする支柱スタンド。
【請求項２】
凹溝(5) の対向する溝壁面に手掛用の凹部(6) が形成されている請求項１に記載の支柱スタンド。
【請求項３】
スタンド本体(1) の表面をエッジおよび凹部のない面としてある請求項１または２に記載の支柱スタンド。
【請求項４】
スタンド本体(1) の所要面に夜間において明示される夜間標識(7) が設けられている請求項１〜３のいずれかに記載の支柱スタンド。
【請求項５】
スタンド本体(1) の上面に文字などの識別標識(8) を突設する一方、凹溝(5) の溝底の前記識別標識(8) に対応する位置には浅溝(9) を設けてあり、この支柱スタンドの複数個をクロス状として上下に重ねたときに下側となる支柱スタンドの識別標識(8) が上側となる支柱スタンドの浅溝(9) 内に位置される請求項１〜４のいずれかに記載の支柱スタンド。
【請求項６】
スタンド本体(1) が球状黒鉛鋳鉄よりなる請求項１〜５のいずれかに記載の支柱スタンド。
【請求項７】
スタンド本体(1) の表面に亜鉛メッキが施されている請求項６に記載の支柱スタンド。
【発明の詳細な説明】
【０００１】
【発明の属する技術分野】
本発明は、工事現場用バリケードフェンスその他工事現場における仮設物品の支柱や、物干し竿の支柱、各種旗竿などの支柱を地上に立設保持させるのに好都合な支柱スタンドに関するものである。
【０００２】
【従来の技術】
重量材よりなるスタンド本体に上下方向の支柱挿込孔を設けて前記支柱挿込孔に支柱を挿込保持させるようにした支柱スタンドは、広く知られているが、従来のこの種の支柱スタンドのスタンド本体は、コンクリートやねずみ鋳鉄よりなる角ブロックを普通とするため、保管容易性や搬送容易性、安定性に欠けるうえに体裁および安全性、耐久性にも問題があるものであった。
【０００３】
【発明が解決しようとする課題】
本発明が解決しようとするところは上記した従来の支柱スタンドの問題点を解消し、保管容易性や搬送容易性、安定性に欠けるうえに体裁および安全性、耐久性にも優れた支柱スタンドを提供することにある。
【０００４】
【課題を解決するための手段】
上記の課題を解決するためになされた本発明に係る支柱スタンドは、重量材よりなるスタンド本体に設けた支柱挿込孔に支柱を挿込んで支柱を起立保持させるようにした支柱スタンドにおいて、スタンド本体は、左右幅と前後幅のいずれか一方が他方より長くて対向する長辺側の外面中央部分に弧状膨出部が形成され、且つ、底部には溝幅が該スタンド本体の短辺幅と略等幅で、対向する溝壁面に前記弧状膨出部の嵌合可能な弧状凹部を備えた凹溝が設けらたブロック体であって、この支柱スタンドの複数個を交互にクロスさせて上下に重ねたとき、上側となる支柱スタンドの凹溝と下側となる支柱スタンドの上部とが前記した弧状凹部と弧状膨出部との係合下に嵌合されて安定状態で多重に積み上げられるものとしたことを特徴とするものを基本構成とする。そして、このような支柱スタンドにおいて、凹溝部の対向する内壁面に手掛用の凹部を形成しておくことにより把持しやすくし、移動作業時における安全性を一層高めるようにしたものを請求項２の発明とし、さらに、スタンド本体の表面をエッジや凹部のない面として安全性を確保するとともにデザイン上も好ましいものとしたものを請求項３の発明とし、さらにまた、スタンド本体の所要面に夜間において明示される夜間標識を設けてあるものを請求項４の発明とし、スタンド本体の上面に文字などの識別標識を突設する一方、凹溝の溝底には前記識別標識に対応する位置には浅溝を設けてあり、この支柱スタンドの複数個をクロス状として上下に重ねたときに下側となる支柱スタンドの識別標識が上側となる支柱スタンドの浅溝内に位置されるものを請求項５の発明とする。さらに、スタンド本体を球状黒鉛鋳鉄よりなるものを請求項６の発明とし、このスタンド本体の表面に亜鉛メッキが施されているものを請求項７の発明とする。
【０００５】
【発明の実施の形態】
次に、本発明の好ましい実施の形態を、図面を参照しながら詳細に説明する。
１は球状黒鉛鋳鉄などの硬質の重量材よりなるスタンド本体であって、その表面には亜鉛メッキが施されている。このスタンド本体１は左右幅が前後幅に比べて長くて平面から見てエッジ落としされた略長方形状の外形をなすブロック体であって、その対向する長辺側の外面中央部分には上下にわたり半円柱状に膨出させた図示するような弧状膨出部２、２が形成され、また、スタンド本体１の左右２分線上には一対の支柱挿込孔３、３が上下方向に穿設されている。さらに、このスタンド本体１の底部には長辺側の両側部分を短脚部１ａ、１ａとして残して溝幅がこのスタンド本体１の短辺側の幅と略等幅で、対向する溝壁面に前記弧状膨出部２、２に対応する弧状凹部４、４を有する凹溝５が前後方向に設けられていて、これら弧状凹部４と凹溝５とにより、この支柱スタンドの複数個を交互にクロスさせて上下に重ねたとき、上側となる支柱スタンドの凹溝５に下側となる支柱スタンドの上部が嵌合されると同時に、上側となる支柱スタンドの弧状膨出部２、２が下側となる支柱スタンドの弧状凹部４、４に係合されて安定した多重の積重ね状態が得られるものとしてある。
【０００６】
なお、前記した凹溝５の対向する溝壁面の中央部分には手掛用の凹部６、６が形成されており、また、前記したスタンド本体１の所要面には夜間において光を受けて反射する反射テープや反射板の貼付や反射塗料の塗布、ランプの配列その他任意の手段による夜間標識７が設けられており、さらに、スタンド本体１の上面には所有者名や注意事項その他任意の意思表示を行うための文字などの識別標識８を突設する一方、前記した凹溝５の溝底には支柱スタンドの複数個を前記したようにして上下に重ねたときでも前記した識別標識８が安定して収まるようにする浅溝９を設けてある。
【０００７】
このように構成されたものは、その複数個を所要の間隔をおいて地上に設置して各スタンド本体１の左右２分線上に穿設されている支柱挿込孔３に支柱を挿込んで起立保持させて、工事現場用バリケードフェンスその他の工事現場における仮設物品を仮構築したり、物干し竿受けとしたりすることは従来の重量材よりなる支柱スタンドと同様であるが、スタンド本体１は、左右幅と前後幅のいずれか一方が他方より長くて、底部には溝幅が凹溝５により隔てられた短脚部１ａ、１ａが形成にされている球状黒鉛鋳鉄などの重量材よりなるものであるから、両側の短脚部１ａ、１ａをもって設置すれば極めて安定した設置状態が得られることとなる。
【０００８】
しかも、この左右幅と前後幅のいずれか一方が他方より長いスタンド本体１は、その対向する長辺側の外面中央部分に弧状膨出部２、２が形成され、且つ、底部には溝幅が該スタンド本体１の短辺側の幅と略等幅で、対向する溝壁面に前記弧状膨出部２、２の嵌合可能な弧状凹部４、４を備えた凹溝５が設けられているから、この支柱スタンドの複数個を交互にクロスさせて上下に重ねると、上側となる支柱スタンドの凹溝５と下側となる支柱スタンドの上部とが前記した弧状凹部４と弧状膨出部２との係合下に嵌合されるから安定状態で多重に積み上げられて保管や搬送上便利なものとなる。
【０００９】
また、スタンド本体１の表面をエッジのない面としておくことによりエッジにより他物を損傷させることがないうえに、凹溝５の対向する溝壁面に手掛用の凹部６、６を形成しておくことによって、スタンド本体１を持ち上げるときにこの手掛用の凹部６、６を利用して落とすことなく的確に持ち上げることができて安全性にも優れており、さらに、夜間において光を受けて反射する反射テープや反射板の貼付や反射塗料の塗布、ランプの配列その他任意の手段による夜間標識７をスタンド本体１の所要面に設けておくことにより、夜間における安全性も確保できるものとなる。
【００１０】
さらにまた、スタンド本体１の上面に所有者名や注意事項その他任意の意思表示を行うための文字などの識別標識８を設けておけば、一層使用上便利なものとなるが、このような識別標識８を設ける場合は、積み重ね時における安定性が損なわれることがないように、凹溝５の溝底の前記識別標識８と対応する位置には浅溝９を設けておくことが好ましく、さらに、スタンド本体１は硬質の重量材よりなるものであれば、コンクリートやねずみ鋳鉄その他材質は特に限定されるものではないが、球状黒鉛鋳鉄よりなるものとすれば、耐久性が増すうえに加工精度もよくて作業現場における安全管理面や作業面、リサイクル面などあらゆる面からみてより好ましい体裁のよい製品とすることができ、特に、その表面に亜鉛メッキを施しておけば、より外観および耐久性に優れたものとなる。
【００１１】
【発明の効果】
本発明は前記説明から明らかなように、スタンド本体を、左右幅と前後幅のいずれか一方が他方より長くて対向する長辺側の外面中央部分に弧状膨出部が形成され、且つ、底部には溝幅が該スタンド本体の短辺幅と略等幅で、対向する溝壁面に前記弧状膨出部の嵌合可能な弧状凹部を備えた凹溝が設けらたブロック体としたので、従来のこの種の支柱スタンドに比べて体裁がよいうえに安全性、耐久性にも優れ、しかも、複数個を交互にクロスさせて安定状態で多重に積み重ねできるので保管容易性や搬送容易性、安定性にも優れたものとなる。
従って、本発明は従来のこの種の支柱スタンドの問題点を解決したもので、構造が簡単で製造が容易なために安価に量産できる利点と相俟ち、業界に寄与するところ極めて大きいものがある。
【図面の簡単な説明】
【図１】本発明の好ましい実施の形態を示す平面図である。
【図２】本発明の好ましい実施の形態を示す底面図である。
【図３】本発明の好ましい実施の形態を示す底面図である。
【図４】本発明の好ましい実施の形態の複数個を多重に積み重ねた状態で示す斜視図である。
【符号の説明】
１  スタンド本体
２  弧状膨出部
３  支柱挿込孔
４  弧状凹部
５  凹溝
６  手掛用の凹部
７  夜間標識
８  識別標識
９  浅溝
【図１】
0004548996.tif 000002
【図２】
0004548996.tif 000003
【図３】
0004548996.tif 000004
【図４】
0004548996.tif 000005